(57)【要約】【課題】  データ形式が異なる音声データをＡ／Ｄ変換を行うことなく正確に印刷用データに変換することができる印刷用データ生成装置を提供する。【解決手段】  この印刷用データ生成装置１０は、デジタル音声データを受信するデジタル音声データ受信手段１１と、受信された音声データのデータ形式に対応する解析手法及び変換手法を判別するデータ形式判別手段１２と、判別された解析手法を用いてデジタル音声データを解析し、該解析結果に基づいて印刷用データの中間データを生成するデジタル音声データ解析手段１３と、判別された変換手法を用いて、中間データを印刷可能なコードデータに変換することにより、印刷用データを生成するデジタル音声データ変換手段１４と、を備えた構成としてある。【選択図】  図２
2007034462.tif 000002
【特許請求の範囲】
【請求項１】
デジタル音声データに基づいて文字等の印刷用データを生成する印刷用データ生成装置であって、
デジタル音声データを受信するデジタル音声データ受信手段と、
該デジタル音声データ受信手段により受信されたデジタル音声データのデータ形式に対応するデジタル音声データ解析手法及びデジタル音声データ変換手法を判別するデータ形式判別手段と、
該データ形式判別手段により判別された前記デジタル音声データ解析手法を用いて前記デジタル音声データを解析し、該解析結果に基づいて前記印刷用データの中間データを生成するデジタル音声データ解析手段と、
前記データ形式判別手段により判別された前記デジタル音声データ変換手法を用いて、前記中間データを印刷可能なコードデータに変換することにより、前記印刷用データを生成するデジタル音声データ変換手段と、を備えた
ことを特徴とする印刷用データ生成装置。
【請求項２】
前記データ形式判別手段は、前記デジタル音声データについて、予め種類の異なる複数のデータ形式に応じたデジタル音声データ解析手法及びデジタル音声データ変換手法を記憶し、該記憶情報に基づいて前記デジタル音声データ受信手段により受信されたデジタル音声データのデータ形式に対応するデジタル音声データ解析手法及びデジタル音声データ変換手法を判別する
ことを特徴とする請求項１に記載の印刷用データ生成装置。
【請求項３】
前記データ形式判別手段は、予め種類の異なる複数のデータ形式に応じたデジタル音声データ解析手法及びデジタル音声データ変換手法を対応テーブルの固定エリアに記憶し、これを前記記憶情報として用いる
ことを特徴とする請求項２に記載の印刷用データ生成装置。
【請求項４】
前記対応テーブルは、前記固定エリアに記憶されたデータ形式以外のデータ形式に対応するデジタル音声データ解析手法及びデジタル音声データ変換手法を追加可能な拡張エリアを有する
ことを特徴とする請求項３に記載の印刷用データ生成装置。
【請求項５】
前記デジタル音声データ受信手段は、
受信したデータがデジタル音声データか否かを判別するデジタル音声データ判別部と、該デジタル音声データ判別部によって判別されたデジタル音声データを前記データ形式判別手段に出力するデジタル音声データ出力部と、を備えた
ことを特徴とする請求項１〜４のいずれか一項に記載の印刷用データ生成装置。
【請求項６】
デジタル音声データに基づいて文字等の印刷用データを生成する処理を印刷用データ生成装置に実行させる印刷用データ生成プログラムであって、
デジタル音声データを受信するデジタル音声データ受信処理と、
該デジタル音声データ受信処理により受信されたデジタル音声データのデータ形式に対応するデジタル音声データ解析手法及びデジタル音声データ変換手法を判別するデータ形式判別処理と、
該データ形式判別処理により判別された前記デジタル音声データ解析手法を用いて前記デジタル音声データを解析し、該解析結果に基づいて前記印刷用データの中間データを生成するデジタル音声データ解析処理と、
前記データ形式判別処理により判別された前記デジタル音声データ変換手法を用いて、前記中間データを印刷可能なコードデータに変換することにより、前記印刷用データを生成するデジタル音声データ変換処理と、
を前記印刷用データ生成装置に実行させる
ことを特徴とする印刷用データ生成プログラム。
【発明の詳細な説明】
【技術分野】
【０００１】
本発明は、直接入力されたデジタル音声データに基づいて文字等の印刷用データを生成する印刷用データ生成装置及び印刷用データ生成プログラムに関する。
【背景技術】
【０００２】
印刷システム、印刷機、プリンタ装置等で印刷可能なデータとしては、一般的にテキストデータやイメージデータ等のデジタルデータがある。また、最近ではブロードバンド化が進み、テキストデータやイメージデータに加えて、音声データや動画データ等のデジタルデータを扱うことが多くなってきている。また、ＩＰ電話を利用したデジタル音声会議システムやデジタル録音機能を搭載した携帯端末やコンピュータ等の機器もある。
【０００３】
しかし、デジタル録音機能を搭載した機器で録音した内容を文書化するには、人間がその録音内容を聞き取り、手書きやコンピュータ等を使用して文書作成を行い、その後、作成した文書データをプリンタ装置に送信して印刷を行う必要がある。
このように、デジタル音声化されたデータソースがありながら、一旦ユーザの人的操作の介入による再デジタル化（文書化）の作業が発生し、時間がかかって効率が悪いという問題がある。
【０００４】
そこで、従来においては、音声データをコンピュータ等を使用して文字やイメージ等の印刷用データに変換し、該印刷用データをプリンタ装置に送信して印刷を行う技術が提案されている（例えば、特許文献１〜３参照）。
【特許文献１】特開平５−３５４２８号公報
【特許文献２】特開２００２−４１５０２号公報
【特許文献３】特開２００１−２６５３７８号公報
【発明の開示】
【発明が解決しようとする課題】
【０００５】
しかしながら、上記特許文献１〜３においては、音声データのデータ形式が異なる場合は、音声データを印刷用データに変換することができず、また、音声データがアナログの場合には、Ａ／Ｄ変換を行う必要があるばかりか、ノイズ等の影響で音声データを正確に印刷用データに変換することが難しいという問題がある。
【０００６】
本発明は、このような不都合を解消するためになされたものであり、データ形式が異なる音声データをＡ／Ｄ変換を行うことなく正確に印刷用データに変換することができる印刷用データ生成装置、印刷用データ生成方法及び印刷用データ生成プログラムを提供することを目的とする。
【課題を解決するための手段】
【０００７】
上記目的を達成するために、請求項１に係る発明は、デジタル音声データに基づいて文字等の印刷用データを生成する印刷用データ生成装置であって、デジタル音声データを受信するデジタル音声データ受信手段と、該デジタル音声データ受信手段により受信されたデジタル音声データのデータ形式に対応するデジタル音声データ解析手法及びデジタル音声データ変換手法を判別するデータ形式判別手段と、該データ形式判別手段により判別された前記デジタル音声データ解析手法を用いて前記デジタル音声データを解析し、該解析結果に基づいて前記印刷用データの中間データを生成するデジタル音声データ解析手段と、前記データ形式判別手段により判別された前記デジタル音声データ変換手法を用いて、前記中間データを印刷可能なコードデータに変換することにより、前記印刷用データを生成するデジタル音声データ変換手段と、を備えた構成としてある。
【０００８】
上記構成によれば、デジタル音声データを直接入力データとして文字やイメージ等の印刷用データに変換することができるので、音声データをＡ／Ｄ変換を行うことなく正確に印刷用データに変換することができる。
また、デジタル音声データのデータ形式に対応するデジタル音声データ解析手法及びデジタル音声データ変換手法を判別して、判別されたデジタル音声データ解析手法及びデジタル音声データ変換手法を用いてそれぞれデジタル音声データの解析及び該デジタル音声データの印刷用データへの変換を行うため、様々なデータ形式の音声データに対応することができる。
【０００９】
請求項２に係る発明は、請求項１において、前記データ形式判別手段は、前記デジタル音声データについて、予め種類の異なる複数のデータ形式に応じたデジタル音声データ解析手法及びデジタル音声データ変換手法を記憶し、該記憶情報に基づいて前記デジタル音声データ受信手段により受信されたデジタル音声データのデータ形式に対応するデジタル音声データ解析手法及びデジタル音声データ変換手法を判別する構成としてある。
【００１０】
請求項３に係る発明は、請求項１又は２において、前記データ形式判別手段は、予め種類の異なる複数のデータ形式に応じたデジタル音声データ解析手法及びデジタル音声データ変換手法を対応テーブルの固定エリアに記憶し、これを前記記憶情報として用いる構成としてある。
【００１１】
請求項４に係る発明は、請求項４において、前記対応テーブルは、前記固定エリアに記憶されたデータ形式以外のデータ形式に対応するデジタル音声データ解析手法及びデジタル音声データ変換手法を追加可能な拡張エリアを有する構成としてある。
上記構成によれば、予め固定エリアに記憶されたデータ形式以外の新たなデータ形式に対応するデジタル音声データ解析手法及びデジタル音声データ変換手法をプラグイン的に容易に追加することができる。
【００１２】
請求項５に係る発明は、請求項１〜４のいずれか一項において、前記デジタル音声データ受信手段は、受信したデータがデジタル音声データか否かを判別するデジタル音声データ判別部と、該デジタル音声データ判別部によって判別されたデジタル音声データを前記データ形式判別手段に出力するデジタル音声データ出力部と、を備えた構成としてある。  上記構成によれば、受信したデータがデジタル音声データであることを確認してから、データ形式の判別処理、デジタル音声データの解析処理及びデジタル音声データの変換処理を行うことができるので、効率よく各処理を行うことができる。
【００１３】
請求項６に係る発明は、デジタル音声データに基づいて文字等の印刷用データを生成する処理を印刷用データ生成装置に実行させる印刷用データ生成プログラムであって、デジタル音声データを受信するデジタル音声データ受信処理と、該デジタル音声データ受信処理により受信されたデジタル音声データのデータ形式に対応するデジタル音声データ解析手法及びデジタル音声データ変換手法を判別するデータ形式判別処理と、該データ形式判別処理により判別された前記デジタル音声データ解析手法を用いて前記デジタル音声データを解析し、該解析結果に基づいて前記印刷用データの中間データを生成するデジタル音声データ解析処理と、前記データ形式判別処理により判別された前記デジタル音声データ変換手法を用いて、前記中間データを印刷可能なコードデータに変換することにより、前記印刷用データを生成するデジタル音声データ変換処理と、を前記印刷用データ生成装置に実行させる構成としてある。
【発明の効果】
【００１４】
本発明によれば、様々なデータ形式の音声データをＡ／Ｄ変換を行うことなく正確に印刷用データに変換することができるという効果が得られる。
【発明を実施するための最良の形態】
【００１５】
以下、本発明の実施の形態の一例を図を参照して説明する。図１は本発明の実施の形態の一例である印刷用データ生成装置を搭載したプリンタ装置と、デジタル音声データの録音機能を有する機器と備えた印刷用データ生成システムの概略図、図２は本発明の実施の形態の一例である印刷用データ生成装置の構成図、図３は中間データの一例を説明するための説明図、図４及び図５は印刷用データの一例を説明するための説明図、図６は対応テーブルを説明するための説明図、図７は本発明の実施の形態の一例である印刷用データ生成装置の動作の一例を説明するためのフローチャート図である。なお、この実施の形態では、プリンタ装置等の画像形成装置に本発明の実施の形態の一例である印刷用データ生成装置を搭載した場合を例に採る。
【００１６】
図１において符号１はデジタル録音機能を有するホストコンピュータ、符号２はデジタル録音機能を有する携帯電話やＰＤＡ等の携帯端末である。ホストコンピュータ１は、パラレルケーブル、シリアルケーブル、ＵＳＢケーブル、ネットワーク接続、無線ＬＡＮ回線、インターネット等を介して画像形成装置３に搭載された印刷用データ生成装置１０に接続されている。一方、携帯端末２は、ネットワーク回線やインターネット等を介して画像形成装置３に搭載された印刷用データ生成装置１０に接続されている。
【００１７】
そして、ユーザは、文字やイメージデータとして印刷したい音声情報をホストコンピュータ１や携帯端末２のデジタル録音機能を利用してデジタル録音し、デジタル音声データをファイルとして生成（又は保存）する。そのデータファイルを通常の印刷時と同様な方法で画像形成装置３の印刷用データ生成装置１０に対して印刷要求を送信する。なお、デジタル音声データフォーマット形式は様々なものが存在するが、一般的なフォーマット形式としてＰＣＭ（Pulse Code Modulation）形式がある。このフォーマット形式は、連続的な波形で表されるアナログ音声に対して、サンプリングと量子化によりデジタル化された音声データである。
【００１８】
本発明の実施の形態の一例である印刷用データ生成装置１０は、図２に示すように、デジタル音声データ受信手段１１、データ形式判別手段１２、デジタル音声データ解析手段１３及びデジタル音声データ変換手段１４を備えている。これらの手段の各処理は、印刷用データ生成装置１０の記憶手段（ＲＯＭやハードディスク等）に記憶された印刷用データ生成プログラムがＲＡＭにロードされて、ＣＰＵにより実行される。
【００１９】
デジタル音声データ受信手段１１は、デジタル音声データ判別部１５及びデジタル音声データ出力部１６を有している。
デジタル音声データ判別部１５は、ホストコンピュータ１や携帯端末２から送信された印刷要求を受信するとともに、受信したデータがデジタル音声データか否かを判別し、デジタル音声データ出力部１６は、デジタル音声データ判別部１６によって判別されたデジタル音声データをデータ形式判別手段１２に出力する。
【００２０】
データ形式判別手段１２は、デジタル音声データ出力部１６から出力されたデジタル音声データのデータ形式に対応するデジタル音声データ解析手法及びデジタル音声データ変換手法を判別する。
この判別には、図６に示すような対応テーブル１７を用いる。この対応テーブル１７は、同図に示すように、デジタル音声データについて、予め種類の異なる複数のデータ形式に応じたデジタル音声データ解析手法及びデジタル音声データ変換手法を記憶する固定エリア１８と、該固定エリア１８に記憶されたデータ形式以外のデータ形式に対応するデジタル音声データ解析手法及びデジタル音声データ変換手法をプラグイン的な追加により記憶する拡張エリア１９とを有している。
【００２１】
そして、データ形式判別手段１２は、対応テーブル１７の固定エリア１８或いは拡張エリア１９に記憶された情報に基づいて、デジタル音声データ出力部１６から出力されたデジタル音声データのデータ形式に対応するデジタル音声データ解析手法及びデジタル音声データ変換手法を判別する。
【００２２】
デジタル音声データ解析手段１３は、対応テーブル１７に応じたデジタル音声データ解析手法が実装された解析手法実装部２０を有している。そして、データ形式判別手段１２により判別されたデジタル音声データ解析手法を用いてデジタル音声データを解析処理し、該解析処理結果に基づいて、文字やイメージ情報として変換する前にデジタル音声データ変換手段１４が変換可能な画像形成装置３に固有な形式の中間データを生成する。
【００２３】
具体的な音声解析処理としては、例えば、パターンマッチングなどの手法によりデジタル音声データから人間の声として認識できる箇所を特定し、無音状態データ部などを区切りとして１要素データを抽出する。次いで、詳細解析として、その抽出した１要素データをさらに音素レベルまで分解し、分解された１音素を解析手法実装部２０に搭載された内部コード情報に基づいて内部コードに置き換える。
そして、１要素データとして抽出され、さらに１音素にまで分解されたデジタル音声データがリスト形式（リスト番号、データ部リスト）で中間データとして生成される（図３参照）。
【００２４】
なお、ここで生成される中間データ形式としては、リスト形式だけではなく、ＸＭＬ形式で表現することも可能である。また、基本的に解析を行う形式はＰＣＭ形式フォーマットであるが、この実施の形態では、他フォーマット形式の音声データは、デジタル音声データ解析手段１３でＰＣＭ形式に変換することで対応する。例としては、ＭＰ３→ＰＣＭフォーマット変換がある。このフォーマット変換手法についても解析手法実装部２０に実装されている。
【００２５】
デジタル音声データ変換手段１４は、対応テーブル１７に応じたデジタル音声データ変換手法が実装された変換手法実装部２１を有している。そして、データ形式判別手段１２により判別されたデジタル音声データ変換手法を用い、中間データをデータソースにしてリスト形式（又はＸＭＬ形式）で表現される１要素ごとに画像形成装置３が印刷可能な文字やイメージのコードデータに変換する（図４及び図５参照）。また、このとき、コードデータに日本語（例えば、ひらがなやカタカナ）があることが判明した場合には、変換手法実装部２１に搭載された辞書情報を基に漢字変換などを行う。
このようにして印刷用データが生成され、該印刷用データは画像形成装置３の印刷出力処理部２２に送られ、所定の印刷処理が行われる。
【００２６】
次に、図７を参照して、上記のように構成された印刷用データ生成装置１０の動作の一例を説明する。ここで、ステップＳ１はデジタル音声データ受信手段１１、ステップＳ２はデータ形式判別手段１２、ステップＳ３はデジタル音声データ解析手段１３、ステップＳ４〜ステップＳ７はデジタル音声データ変換手段１４にそれぞれ対応する。
【００２７】
まず、ステップＳ１では、ホストコンピュータ１や携帯端末２から受信した印刷要求データがデジタル音声データか否かを判別し、デジタル音声データと判別された場合はステップＳ２に移行する。
ステップＳ２では、デジタル音声データのデータ形式に対応するデジタル音声データ解析手法及びデジタル音声データ変換手法を対応テーブル１７を参照して判別し、ステップＳ３に移行する。
【００２８】
ステップＳ３では、ステップＳ２で判別されたデジタル音声データ解析手法を用いてデジタル音声データを解析処理し、該解析処理結果に基づいて、文字やイメージ情報として変換する前の中間データを生成し、ステップＳ４に移行する。
ステップＳ４では、ステップＳ２で判別されたデジタル音声データ変換手法を用い、中間データをデータソースにして画像形成装置３が印刷可能な文字やイメージのコードデータに変換し、ステップＳ５に移行する。
【００２９】
ステップＳ５では、ステップＳ４で変換されたコードデータに日本語があるか否かが判断され、日本語がないと判断された場合はステップＳ７に移行し、日本語があると判断された場合は、ステップＳ６に移行して漢字変換を行った後、ステップＳ７に移行する。
ステップＳ７では、コードデータを印刷用データとして画像形成装置３の印刷出力処理部２２に送信し、これにより、所定の印刷処理が開始される。
【００３０】
上記の説明から明らかなように、この実施の形態では、デジタル音声データを直接入力データとして文字やイメージ等の印刷用データに変換することができるので、音声データをＡ／Ｄ変換を行うことなく正確に印刷用データに変換することができる。
また、デジタル音声データのデータ形式に対応するデジタル音声データ解析手法及びデジタル音声データ変換手法を判別して、判別されたデジタル音声データ解析手法及びデジタル音声データ変換手法を用いてそれぞれデジタル音声データの解析及び該デジタル音声データの印刷用データへの変換を行うため、様々なデータ形式の音声データに対応することができる。
【００３１】
更に、対応テーブル１７に拡張エリア１９を備えているので、予め固定エリア１８に記憶されたデータ形式以外の新たなデータ形式に対応するデジタル音声データ解析手法及びデジタル音声データ変換手法をプラグイン的に容易に追加することができる。
更に、ホストコンピュータ１や携帯端末２から受信した印刷要求データがデジタル音声データであることを確認してから、データ形式の判別処理、デジタル音声データの解析処理及びデジタル音声データの変換処理を行うことができるので、効率よく各処理を行うことができる。
【００３２】
次に、印刷用データ生成プログラムについて説明する。
上記実施の形態におけるコンピュータ（印刷用データ生成装置など）の印刷用データ生成処理機能は、記憶手段（例えば、ＲＯＭやＨＤＤなど）に記憶された印刷用データ生成プログラムにより実現される。
【００３３】
印刷用データ生成プログラムは、コンピュータの制御手段（ＣＰＵなど）に読み込まれることにより、コンピュータの構成各部に指令を送り、印刷用データ生成処理、たとえば、デジタル音声データ受信手段１１によるデジタル音声データの受信・判別・出力処理、データ形式判別手段１２によるデジタル音声データのデータ形式の判別処理、デジタル音声データ解析手段１３によるデータ解析処理及びデジタル音声データ変換手段１４によるデジタル音声データの印刷データへの変換処理などを行わせる。
これら印刷用データ生成処理は、ソフトウェアである印刷用データ生成プログラムとハードウエア資源であるコンピュータ（印刷用データ生成装置など）の各構成部とが協働することにより実現される。
【００３４】
なお、本発明の印刷用データ生成処理を実現するための印刷用データ生成プログラムは、コンピュータのＲＯＭやハードディスクなどに記憶される他、コンピュータ読み取り可能な記録媒体、たとえば、外部記憶装置及び可搬記録媒体等に格納することができる。
外部記憶装置とは、ＣＤ−ＲＯＭ等の記憶媒体を内蔵し、印刷用データ生成装置１０等に外部接続されるメモリ増設装置を例示することができる。一方、可搬記録媒体とは、記録媒体駆動装置（ドライブ装置）に装着でき、かつ、持ち運び可能な記録媒体であって、たとえば、フレキシブルディスク，メモリカード，光磁気ディスク等を例示することができる。
【００３５】
そして、記録媒体に記録されたプログラムは、コンピュータのＲＡＭ等にロードされて、ＣＰＵにより実行される。この実行により、上述した本実施形態の印刷用データ生成処理機能が実現される。
さらに、コンピュータで本発明の印刷用データ生成プログラムをロードする場合、他のコンピュータで保有された印刷用データ生成プログラムを、通信回線を利用して自己のコンピュータの有するＲＡＭや外部記憶装置にダウンロードすることもできる。このダウンロードされた印刷用データ生成プログラムも、ＣＰＵにより実行され、本実施形態の印刷用データ生成処理機能を実現する。
【００３６】
なお、本発明のデジタル音声データ受信手段、データ形式判別手段、デジタル音声データ解析手段、デジタル音声データ変換手段、対応テーブル、固定エリア、拡張エリア、デジタル音声データ判別部、デジタル音声データ出力部等の構成は、上記実施の形態に例示したものに限定されるものではなく、本発明の要旨を逸脱しない範囲において適宜変更可能である。
【産業上の利用可能性】
【００３７】
本発明の印刷用データ生成装置、印刷用データ生成方法及び印刷用データ生成プログラムは、コピー機、ファクシミリ、複合装置（ＭＦＰ（マルチファンクションペリフェラル））等の画像形成装置の他に、パーソナルコンピュータ、サーバ、携帯電話やＰＤＡ等の携帯端末に好適に用いることができる。
【図面の簡単な説明】
【００３８】
【図１】本発明の実施の形態の一例である印刷用データ生成装置を搭載したプリンタ装置と、デジタル音声データの録音機能を有する機器と備えた印刷用データ生成システムの概略図である。
【図２】本発明の実施の形態の一例である印刷用データ生成装置の構成図である。
【図３】中間データの一例を説明するための説明図である。
【図４】印刷用データの一例を説明するための説明図である。
【図５】印刷用データの一例を説明するための説明図である。
【図６】対応テーブルを説明するための説明図である。
【図７】本発明の実施の形態の一例である印刷用データ生成装置の動作の一例を説明するためのフローチャート図である。
【符号の説明】
【００３９】
１０  印刷用データ生成装置
１１  デジタル音声データ受信手段
１２  データ形式判別手段
１３  デジタル音声データ解析手段
１４  デジタル音声データ変換手段
１５  デジタル音声データ判別部
１６  デジタル音声データ出力部
１７  対応テーブル
１８  固定エリア
１９  拡張エリア
【図１】
2007034462.tif 000003
【図２】
2007034462.tif 000004
【図３】
2007034462.tif 000005
【図４】
2007034462.tif 000006
【図５】
2007034462.tif 000007
【図６】
2007034462.tif 000008
【図７】
2007034462.tif 000009